(57)【要約】【課題】冷凍機器の４隅の短手方向の脚は、１枚の板材に木ねじ等によって固定された構成であるため、この板材の厚さを十分に厚くしなければ、大型の冷凍機器の重量を伴って運搬時等の衝撃に耐えられない。この衝撃に耐えるように１枚の板材を厚くすることは、その板材の価格アップや反り等の問題も生じる。本発明は、大型の冷凍機器の重量や運搬時等の衝撃に十分耐えられる梱包であって、梱包材への冷凍機器の取り付けにボルトネジを使用した強固な取り付けができるようにし、フォークリフトによる運搬に適した梱包装置を提供する。【解決手段】冷凍機器の左右両側の脚部に取り付けられる左右一対の独立した支持台を備え、この支持台は、前記脚部に前記各支持台を固定するボルト螺子が下方に突出する長さよりも大なる高さを確保する空間部を形成したこと。【選択図】      図１
2004262496.tif 000002
【特許請求の範囲】
【請求項１】
冷凍装置に使用される凝縮器及び送風機を備えた冷凍機器の梱包装置において、前記冷凍機器の左右両側の脚部に取り付けられる左右一対の独立した支持台を備え、この支持台は、前記脚部に前記各支持台を固定するボルト螺子が下方に突出する長さよりも大なる高さを確保する空間部を形成したことを特徴とする冷凍機器の梱包装置。
【請求項２】
冷凍装置に使用される凝縮器及び送風機を備えた冷凍機器の梱包装置において、前記冷凍機器は前記凝縮器及び送風機が筐体に収納されて左右方向に長い直方形状を呈して左右両側の短手方向には前後に独立した脚部を備え、前記前後の脚部にそれぞれ取り付けられる左右一対の支持台を備え、この支持台は、前記前後の脚部を個々に載置する前後の上板とこの前後の上板を連結するようにこの前後の上板の下面左右に取り付けられた側板を備え、この側板によって前記上板の下側には、前記上板を貫通して前記前後の脚部を固定するボルト螺子が下方に突出する長さよりも大なる高さを確保する空間部を形成したことを特徴とする冷凍機器の梱包装置。
【請求項３】
冷凍装置に使用される凝縮器及び送風機を備えた冷凍機器の梱包装置において、前記冷凍機器は、前記凝縮器及び送風機が筐体に収納されて前後方向又は左右方向に長い直方形状をなし、前記直方形状の４隅部に設けた縦方向支柱とこの縦支柱を横方向に連結する横部材との組み合わせによって前後方向又は左右方向に長い直方形状を呈するフレーム構造をなし、前記直方形状の４隅部に設けた縦方向支柱の下端部に独立した脚部を形成し、前記横部材のうち前記冷凍機器の底部を構成する長手方向部材は運搬用フォークリフトの支え爪によって支えられる強度を備えた支え部を形成し、前記４隅部に設けた脚部のうち、前記直方形状の短手方向に存在する前後一対の脚部を支える支持台を備え、この支持台は、前記直方形状の長手方向には連結されず短手方向に独立した形態であって、前記前後の脚部を個々に載置する前後の上板とこの前後の上板を連結するようにこの前後の上板の下面左右に取り付けられた側板を備え、この側板によって前記上板の下側には、前記上板を貫通して前記前後の脚部を固定するボルト螺子が下方に突出する長さよりも大なる高さを確保する空間部を形成したことを特徴とする冷凍機器の梱包装置。
【請求項４】
前記支持台は木製であって、前記上板とこれに対向する下板とを左右の側板で連結し、これらの間に前記空間部を形成したことを特徴とする冷凍機器の梱包装置。
【発明の詳細な説明】
【０００１】
【発明の属する技術分野】
本発明は、冷凍装置に使用される凝縮器及び送風機を備えた大型の冷凍機器の梱包装置に関する。
【０００２】
【従来の技術】
従来、冷凍装置に使用される凝縮器及び送風機を備えた大型の冷凍機器の梱包装置としては、この大型の冷凍機器を載置する木製の板材からなるパレットを用い、このパレット上において大型の冷凍機器の周囲と上面を大きな間隔を保った木製の板材で覆った状態で、パレットの隙間にフォークリフトの支え爪を差し込んで運搬する方式がある。また、このパレット方式を改良した段ボール梱包方式を採用したものがある（例えば、特許文献１参照）。
【０００３】
この特許文献１の技術においては、冷凍装置に使用される凝縮器及び送風機を内蔵した脚を有する冷凍機器の梱包装置において、梱包材の使用量を低減できると共に、廃棄にかかる手間と時間を削減する技術として、前記脚の下部には短手方向の脚を１枚の板材で連結した構成が開示されている。
【０００４】
【特許文献１】
特開平２００２−２７８３号公報（第１〜４頁、図１、図５〜６）
【０００５】
【発明が解決しようとする課題】
この特許文献１の技術においては、前記脚の下部には短手方向の脚は、１枚の板材に木ねじ等によって固定された構成であるため、この板材の厚さを十分に厚くしなければ、大型の冷凍機器の重量を伴って運搬時等の衝撃に耐えられない。この衝撃に耐えるように１枚の板材を厚くすることは、その板材の価格アップや反り等の問題も生じる。
【０００６】
本発明は、大型の冷凍機器の重量や運搬時等の衝撃に十分耐えられる梱包であって、梱包材への冷凍機器の取り付けにボルトネジを使用した強固な取り付けができるようにし、更に、フォークリフトによる運搬に適した冷凍機器の梱包装置を提供するものである。
【０００７】
【課題を解決するための手段】
本発明の冷凍機器の梱包装置は、冷凍装置に使用される凝縮器及び送風機を備えた冷凍機器の梱包装置において、前記冷凍機器の左右両側の脚部に取り付けられる左右一対の独立した支持台を備え、この支持台は、前記脚部と前記各支持台とを固定するボルト螺子が下方に突出する長さよりも大なる高さを確保する空間部を形成したことを特徴とする。
【０００８】
このため、大型の冷凍機器の梱包材への取り付けにボルトネジを使用した強固な取り付けができ、大型の冷凍機器を積み重ねて保管することができる。そして従来のパレットのように多くの木材を使用することがないため、梱包材の使用量を低減できると共に、廃棄にかかる手間と時間を削減することができる。
【０００９】
また本発明の冷凍機器の梱包装置は、冷凍装置に使用される凝縮器及び送風機を備えた冷凍機器の梱包装置において、前記冷凍機器は前記凝縮器及び送風機が筐体に収納されて左右方向に長い直方形状を呈して左右両側の短手方向には前後に独立した脚部を備え、前記前後の脚部にそれぞれ取り付けられる左右一対の支持台を備え、この支持台は、前記前後の脚部を個々に載置する前後の上板とこの前後の上板を連結するようにこの前後の上板の下面左右に取り付けられた側板を備え、この側板によって前記上板の下側には、前記上板を貫通して前記前後の脚部を固定するボルト螺子が下方に突出する長さよりも大なる高さを確保する空間部を形成したことを特徴とする。
【００１０】
このような空間部の形成構成によって、大型の冷凍機器の重量や運搬時等の衝撃に十分耐えられる梱包となり、梱包材への冷凍機器の取り付けにボルトネジを使用した強固な取り付けができ、大型の冷凍機器を積み重ねて保管することができる。また、短手方向の前後の脚部は、前後の上板によって個々に載置する形態であるため、従来のパレットのように多くの木材を使用することがないため、梱包材の使用量を低減できる。更に、この前後の上板は左右の側板によって連結された構成であるため、前後の脚部の取り付け位置の確保と大型の冷凍機器の重量支えが安定する。
【００１１】
また、本発明の冷凍機器の梱包装置は、冷凍装置に使用される凝縮器及び送風機を備えた冷凍機器の梱包装置において、前記冷凍機器は、前記凝縮器及び送風機が筐体に収納されて前後方向又は左右方向に長い直方形状をなし、前記直方形状の４隅部に設けた縦方向支柱とこの縦支柱を横方向に連結する横部材との組み合わせによって前後方向又は左右方向に長い直方形状を呈するフレーム構造をなし、前記直方形状の４隅部に設けた縦方向支柱の下端部に独立した脚部を形成し、前記横部材のうち前記冷凍機器の底部を構成する長手方向部材は運搬用フォークリフトの支え爪によって支えられる強度を備えた支え部を形成し、前記４隅部に設けた脚部のうち、前記直方形状の短手方向に存在する前後一対の脚部を支える支持台を備え、この支持台は、前記直方形状の長手方向には連結されず短手方向に独立した形態であって、前記前後の脚部を個々に載置する前後の上板とこの前後の上板を連結するようにこの前後の上板の下面左右に取り付けられた側板を備え、この側板によって前記上板の下側には、前記上板を貫通して前記前後の脚部を固定するボルト螺子が下方に突出する長さよりも大なる高さを確保する空間部を形成したことを特徴とする。
【００１２】
このため、大型の冷凍機器が直方形状の４隅部に設けた縦方向支柱の下端部に独立した脚部を形成するフレーム構造とした場合にも、短手方向の前後の脚部は、前後の上板によって個々に載置し、前後の上板は左右の側板によって連結された構成であるため、大型の冷凍機器の重量や運搬時等の衝撃に十分耐えられる梱包となり、従来のパレットのように多くの木材を使用することがなく、梱包材の使用量を低減でき廃棄にかかる手間と時間も削減できる。更に、フォークリフトによる運搬に適した冷凍機器の梱包装置となると共に、大型の冷凍機器を積み重ねて保管することができる形態となる。
【００１３】
また、本発明の冷凍機器の梱包装置における前記支持台は、木製であって、上板と下板とを左右の側板で連結してこれらの間に前記空間部を形成したことを特徴とする。
【００１４】
このため、支持台の強度がアップして空間部の形成が安定し、梱包材への冷凍機器の取り付けにボルトネジを使用した強固な取り付けができるようになり、大型の冷凍機器の重量や運搬時等の衝撃に十分耐えられる梱包となる。このため、大型の冷凍機器を積み重ねても安定した状態を保持できる。
【００１５】
【発明の実施の形態】
次に本発明の実施の形態について説明する。各図は本発明の実施形態を示しており、図１は本発明に係る冷凍機器の梱包装置の正面図、図２は本発明に係る冷凍機器の梱包装置の平面図、図３は本発明に係る冷凍機器の梱包装置の側面図、図４は本発明に係る梱包装置の支持台の平面図、図５は本発明に係る支持台の側面図、図６は本発明に係る支持台の正面図、図７は本発明に冷凍機器の脚と支持台の固定部の説明図である。
【００１６】
これらの図において、１は本発明に係る冷凍機器であり、室内を冷房・暖房する空気調和装置や商品陳列用のオープンショーケース等のような大型の冷凍装置に使用される冷媒の凝縮器２及びその熱交換送風用の送風機３を備えたものであり、この冷凍機器１は、上方にＶ字状に開いた凝縮器２及び送風機３が筐体４に収納されて前後方向又は左右方向に長い直方形状をなす。この直方形状は、高さが約１５００ｍｍ、長手方向に相当する左右幅が約２４００ｍｍ、短手方向に相当する前後方向の奥行き幅が約１０００ｍｍの大きさである。この直方形状の４隅部に設けた縦方向支柱５Ａ、５Ｂ、５Ｃ、５Ｄとこの縦支柱５Ａ、５Ｂ、５Ｃ、５Ｄを横方向（水平方向）に連結する複数の横部材６との組み合わせによって、前後方向又は左右方向に長い直方形状を呈するフレーム構造をしている。冷凍機器１は、圧縮機で圧縮した冷媒を凝縮器２で凝縮させて減圧装置を介して冷媒の蒸発器へ導入し、蒸発器で蒸発した冷媒を再び圧縮機へ帰還させる循環を行うものである。直方形状の冷凍機器１の４隅部に設けた縦方向支柱５Ａ、５Ｂ、５Ｃ、５Ｄの下端部には、それぞれ脚部７を形成している。縦方向支柱５Ａ、５Ｂ、５Ｃ、５Ｄは、それぞれ略Ｌ字状の金属製アングル材で構成され、その下端には水平状の取り付けフランジ８を形成している。
【００１７】
横部材６のうち前後に位置して冷凍機器１の底部を構成する長手方向部材６Ａ、６Ｂは、冷凍機器１を運搬用フォークリフトの支え爪によって支えられる強度を備えており、特に、支え部９には、この運搬用フォークリフトの支え爪と金属接触させないためと、また滑り防止のために、段ボールが巻かれている。長手方向部材６Ａは、冷凍機器１の前面側の縦方向支柱５Ａと５Ｃの上下中間部に両端が固定され、長手方向部材６Ｂは、冷凍機器１の後面側の縦方向支柱５Ｂと５Ｄの上下中間部に両端が固定されている。
【００１８】
４隅部に設けた脚部７のうち、前記直方形状の短手方向に存在する前後一対の脚部７、７を支えるように支持台１０が設けられる。この支持台１０は、前記直方形状の長手方向には連結されず短手方向に独立した形態であって、前後の脚部７、７を個々に載置する前後の上板１１Ａ、１１Ｂと、この前後の上板１１Ａ、１１Ｂを連結するようにこの前後の上板１１Ａ、１１Ｂの下面左右に取り付けられた側板１２Ａ、１２Ｂを備える。
【００１９】
前後の脚部７、７は、取り付けフランジ８に形成した取り付け孔１３と上板１１Ａ、１１Ｂに形成した取り付け孔１４に貫通させたボルト螺子１５によって、取り付けフランジ８と上板１１Ａ、１１Ｂとを固定することにより、支持台１０と結合される。この取り付け部は、図７に示すように、座金１６を介してボルト螺子１５の頭部１５Ａが上板１１Ａ、１１Ｂの下面に位置するようにしてボルト螺子１５を上板１１Ａ、１１Ｂと取り付けフランジ８を貫通させ、この状態でフランジ８上に延びたボルト螺子１５の螺子部に座金１７、１８を介して二つのナット１９によって締め付け固定する構成である。このため、側板１２Ａ、１２Ｂの高さＨは、ボルト螺子１５の頭部１５Ａと座金１６を加えた厚さよりも大きな寸法を有した空間部２０を形成しており、そして、この空間部２０は、ボルト螺子１５の締め付けに使用するスパナ等の工具を頭部１５Ａに嵌めることができる作業間隔も形成できるように、例えば、側板１２Ａ、１２Ｂの高さＨは、７０ｍｍ〜８０ｍｍに形成している。なお、上板１１Ａ、１１Ｂの厚さは、冷凍機器１の荷重を支え、安定した取り付けができるようにするために約３０ｍｍである。
【００２０】
本発明に係る支持台１０は、冷凍機器１の荷重を支え安定した取り付けができるようにするために、前後の脚部７、７を個々に載置する前後の上板１１Ａ、１１Ｂと、この前後の上板１１Ａ、１１Ｂに対向する位置に設けた下板２１Ａ、２１Ｂとを、左右の側板１２Ａ、１２Ｂで連結し、これらの間に空間部２０を形成した構成である。また、本発明に係る支持台１０は、前後の上板１１Ａ、１１Ｂと前後の下板２１Ａ、２１Ｂの中間部には、上補強板２２Ａと下補強板２２Ｂが左右の側板１２Ａ、１２Ｂに連結している。上板１１Ａ、１１Ｂと上補強板２２Ａの厚さは略同じであり、下板２１Ａ、２１Ｂと下補強板２２Ｂの厚さは略同じである。その一つの形態として、支持台１０の強度を考慮して、上板１１Ａ、１１Ｂと、上補強板２２Ａと、下板２１Ａ、２１Ｂと、下補強板２２Ｂは、約３０ｍｍの木製であり、相互の接続は、釘やボルト螺子などによって強固に結合される。
【００２１】
このような梱包用支持台１０が取り付けられた冷凍機器１は、筐体４部分を段ボール等の梱包材３０によって覆う。また、梱包用支持台１０が取り付けられた冷凍機器１は、運搬用フォークリフトの支え爪を冷凍機器１の底部を構成する長手方向部材６Ａ、６Ｂの下側に挿入して支え部９を支えるため、長手方向部材６Ａ、６Ｂの損傷を防止するために、支え部９を段ボール等の梱包材２３によって覆っている。この状態で、締め付けバンド３１によって梱包材２３と梱包材３０を外側から締め付けることにより、冷凍機器１が梱包される。
【００２２】
本発明は、上記のように、冷凍装置に使用される凝縮器２及び送風機３を備えた冷凍機器１の梱包装置において、冷凍機器１は、凝縮器２及び送風機３が筐体４に収納されて前後方向又は左右方向に長い直方形状をなし、この直方形状の４隅部に設けた縦方向支柱５Ａ、５Ｂ、５Ｃ、５Ｄとこの縦支柱を横方向に連結する横部材６との組み合わせによって前後方向又は左右方向に長い直方形状を呈するフレーム構造をなし、この直方形状の４隅部に設けた縦方向支柱５Ａ、５Ｂ、５Ｃ、５Ｄの下端部に独立した脚部脚部７を形成し、横部材６のうち冷凍機器１の底部を構成する長手方向部材６Ａ、６Ｂは運搬用フォークリフトの支え爪によって支えられる強度を備えた支え部９を形成し、４隅部に設けた脚部７のうち、直方形状の短手方向に存在する前後一対の脚部７、７を支える支持台１０を備える。そして、この支持台１０は、直方形状の長手方向には連結されず短手方向に独立した形態であって、前後の脚部７、７を個々に載置する前後の上板１１Ａ、１１Ｂとこの前後の上板を連結するようにこの前後の上板１１Ａ、１１Ｂの下面左右に取り付けられた側板１２Ａ、１２Ｂを備え、この側板によって上板１１Ａ、１１Ｂの下側には、この上板を貫通して前後の脚部７、７を固定するボルト螺子１５が下方に突出する長さよりも大なる高さを確保する空間部２０を形成した構成である。
【００２３】
このため、大型の冷凍機器が直方形状の４隅部に設けた縦方向支柱の下端部に独立した脚部を形成するフレーム構造とした場合にも、短手方向の前後の脚部は、前後の上板によって個々に載置し、前後の上板は左右の側板によって連結された構成であるため、大型の冷凍機器の重量や運搬時等の衝撃に十分耐えられる梱包となり、従来のパレットのように多くの木材を使用することがなく、梱包材の使用量を低減でき廃棄にかかる手間と時間も削減できる。更に、フォークリフトによる運搬に適した冷凍機器の梱包装置となると共に、大型の冷凍機器を積み重ねて保管することができる形態となる。
【００２４】
また、支持台１０は、前後の上板１１Ａ、１１Ｂと前後の下板２１Ａ、２１Ｂの中間部には、上補強板２２Ａと下補強板２２Ｂが左右の側板１２Ａ、１２Ｂに連結している。このため、支持台１０の強度がアップして空間部２０の形成が安定し、支持台１０への冷凍機器１の取り付けにボルト螺子１５を使用した強固な取り付けができるようになり、大型の冷凍機器１の重量や運搬時等の衝撃に十分耐えられる梱包となる。このため、大型の冷凍機器１を積み重ねても安定した状態を保持できる。また、前後の上板１１Ａ、１１Ｂと前後の下板２１Ａ、２１Ｂの中間部に設けた上補強板２２Ａと下補強板２２Ｂによって、更に支持台１０の強度アップが図れる。
【００２５】
支持台１０と前後一対の脚部７、７とのボルト螺子１５による固定部は、上板１１Ａ、１１Ｂに形成した取り付け孔１４が一方の側板１２Ａ、又は１２Ｂ側へ寄った位置に設けられている。図１においては、左側の支持台１０では外側の側板１２Ａに寄り、右側の支持台１０では内側の側板１２Ａに寄った位置で固定されている。これは、冷凍機器１の荷重を上板１１Ａ、１１Ｂの中央で受ける場合よりも強度的に安定した支持ができるものとなる。
【００２６】
本発明は、上記実施形態に限定されず、本発明の技術的範囲を逸脱しない限り種種の変更が考えられ、それに係る種種の実施形態を包含するものである。
【００２７】
【発明の効果】
本発明によって、大型の冷凍機器の梱包材への取り付けにボルトネジを使用した強固な取り付けができ、大型の冷凍機器を積み重ねて保管することができる。そして従来のパレットのように多くの木材を使用することがないため、梱包材の使用量を低減できると共に、廃棄にかかる手間と時間を削減することができる。
【００２８】
また、請求項２の発明によって、大型の冷凍機器の重量や運搬時等の衝撃に十分耐えられる梱包となり、梱包材への冷凍機器の取り付けにボルト螺子を使用した強固な取り付けができ、大型の冷凍機器を積み重ねて保管することができる。また、短手方向の前後の脚部は、前後の上板によって個々に載置する形態であるため、従来のパレットのように多くの木材を使用することがないため、梱包材の使用量を低減できる。更に、この前後の上板は左右の側板によって連結された構成であるため、前後の脚部の取り付け位置の確保と大型の冷凍機器の重量支えが安定する。
【００２９】
また、請求項３の発明では、大型の冷凍機器が直方形状の４隅部に設けた縦方向支柱の下端部に独立した脚部を形成するフレーム構造とした場合にも、短手方向の前後の脚部は、前後の上板によって個々に載置し、前後の上板は左右の側板によって連結された構成であるため、大型の冷凍機器の重量や運搬時等の衝撃に十分耐えられる梱包となり、従来のパレットのように多くの木材を使用することがなく、梱包材の使用量を低減でき廃棄にかかる手間と時間も削減できる。更に、フォークリフトによる運搬に適した冷凍機器の梱包装置となると共に、大型の冷凍機器を積み重ねて保管することができる形態となる。
【００３０】
また請求項４の発明によって、支持台の強度がアップして空間部の形成が安定し、梱包材への冷凍機器の取り付けにボルトネジを使用した強固な取り付けができるようになり、大型の冷凍機器の重量や運搬時等の衝撃に十分耐えられる梱包となる。このため、大型の冷凍機器を積み重ねても安定した状態を保持できる。
【図面の簡単な説明】
【図１】本発明に係る冷凍機器の梱包装置の正面図である。
【図２】本発明に係る冷凍機器の梱包装置の平面図である。
【図３】本発明に係る冷凍機器の梱包装置の側面図である。
【図４】本発明に係る梱包装置の支持台の平面図である。
【図５】本発明に係る支持台の側面図である。
【図６】本発明に係る支持台の正面図である。
【図７】本発明に冷凍機器の脚と支持台の固定部の説明図である。
【符号の説明】
１・・・冷凍機器
２・・・凝縮器
３・・・送風機
４・・・筐体
５Ａ、５Ｂ、５Ｃ、５Ｄ５・・・縦方向支柱
６、６Ａ、６Ｂ・・・横部材
７・・・脚
８・・・取り付けフランジ
９・・・支え部
１０・・・支持台
１１Ａ、１１Ｂ・・・上板
１２Ａ、１２Ｂ・・・側板
１５・・取り付けにボルト螺子
２０・・空間部
２１Ａ、２１Ｂ・・下板
【図１】
2004262496.tif 000003
【図２】
2004262496.tif 000004
【図３】
2004262496.tif 000005
【図４】
2004262496.tif 000006
【図５】
2004262496.tif 000007
【図６】
2004262496.tif 000008
【図７】
2004262496.tif 000009